(57)【要約】      （修正有）【課題】高輝度の照明光を得るとともに、装置の小型化を図ることができる照明装置を提供する。【解決手段】光軸が同一平面上に存在し、前記光軸が少なくとも他の一つの光軸と交差するように配置された複数の光源１１，１２，１３と、光源１１，１２，１３からそれぞれ射出された照明光を導光する複数の円弧状のプリズム２１，２２，２３が、前記同一平面に垂直な線を接線とする円の周方向に連結されることによって構成された円環状のプリズム環２０と、プリズム環２０をその中心軸線Ｐ回りに回転させるモータ３０と、モータ３０の回転と同期して光源１１，１２，１３を順次切り換えて発光させる制御部とを備える照明装置１。【選択図】図１
2012190653.tif 000002
【特許請求の範囲】
【請求項１】
光軸が同一平面上に存在し、前記光軸が少なくとも他の一つの光軸と交差するように配置された複数の光源と、
該複数の光源からそれぞれ射出された照明光を同一方向に導光する複数の円弧状の導光部が、前記同一平面に垂直な線を接線とする円の周方向に連結されることによって構成された円環状の導光ユニットと、
該導光ユニットをその中心軸線回りに回転させる回転機構と、
該回転機構の回転と同期して前記複数の光源を順次切り換えて発光させる制御部とを備える照明装置。
【請求項２】
前記導光部の少なくとも１つが、前記光源から射出された照明光を前記同一方向に反射する反射部材である請求項１に記載の照明装置。
【請求項３】
前記導光部の少なくとも１つが、前記光源から射出された照明光を前記同一方向に透過する透過部材または空洞部を有する請求項２に記載の照明装置。
【請求項４】
前記導光部が、周方向に分割された複数の導光部材が連結して構成されている請求項１から３のいずれかに記載の照明装置。
【請求項５】
前記導光ユニットの中心軸に交差する方向に光軸を向けて配置された前記光源が、前記導光ユニットの曲面によって変化する配光特性をキャンセルする光学系を備える請求項１から４のいずれかに記載の照明装置。
【発明の詳細な説明】
【技術分野】
【０００１】
本発明は、照明装置に関するものである。
【背景技術】
【０００２】
従来、円環状に配置したＬＥＤ等の光源を高出力で順次パルス点灯させ、その点灯周期に合わせて導光ロッドを回転させることにより、各光源からの照明光を重畳させて高輝度の照明光を射出する照明装置が知られている（例えば、特許文献１参照）。
【先行技術文献】
【特許文献】
【０００３】
【特許文献１】特開２００８−１０２３０４号公報
【発明の概要】
【発明が解決しようとする課題】
【０００４】
しかしながら、特許文献１に記載の照明装置によれば、導光ロッドへの導光効率を高めるためにはＬＥＤ等の光源の出射面を密に配置する必要があり、ＬＥＤの個数が多く必要となって、装置自体が大型化してしまうとともに、製造コストが増大してしまうという不都合がある。
【０００５】
本発明は、上記事情に鑑みてなされたもので、高輝度の照明光を得るとともに、装置の小型化を図ることができる照明装置を提供することを目的とする。
【課題を解決するための手段】
【０００６】
上記課題を解決するために、本発明は以下の手段を採用する。
本発明は、光軸が同一平面上に存在し、前記光軸が少なくとも他の一つの光軸と交差するように配置された複数の光源と、該複数の光源からそれぞれ射出された照明光を同一方向に導光する複数の円弧状の導光部が、前記同一平面に垂直な線を接線とする円の周方向に連結されることによって構成された円環状の導光ユニットと、該導光ユニットをその中心軸線回りに回転させる回転機構と、該回転機構の回転と同期して前記複数の光源を順次切り換えて発光させる制御部とを備える照明装置を採用する。
【０００７】
本発明によれば、回転機構により円環状の導光ユニットがその中心軸線回りに回転させられると、複数の円弧状の導光部のうち、いずれかの導光部が、常に、いずれかの光源の光軸に一致させられる。そして、制御部により、回転機構の回転と同期してこれら光源が順次切り換えて発光（パルス発光）させられる。これにより、複数の光源から射出された高輝度の照明光を、連続的に同一方向に導光し、該同一方向に重畳して射出することができる。このようにすることで、少ない光源で高輝度の照明光を射出することができ、装置の小型化を図ることができる。
【０００８】
上記発明において、前記導光部の少なくとも１つが、前記光源から射出された照明光を前記同一方向に反射する反射部材であることとしてもよい。
このように導光ユニットを構成することで、前記同一方向（重畳光の射出方向）とは異なる方向に光軸を向けて配置された光源からの照明光が、反射部材により前記同一方向に向けて反射される。また、このような反射部材を複数有することで、パルス発光により複数の光源から射出された高輝度の照明光を、連続的に同一方向に導光し、該同一方向に重畳して射出することができる。
【０００９】
上記発明において、前記導光部の少なくとも１つが、前記光源から射出された照明光を前記同一方向に透過する透過部材または空洞部を有することとしてもよい。
このように導光ユニットを構成することで、前記同一方向（重畳光の射出方向）に光軸を向けて配置された光源からの照明光が、透過部材または空洞部を前記同一方向に透過する。このような透過部材（または空洞部）および前述の反射部材を有することで、パルス発光により複数の光源から射出された高輝度の照明光を、連続的に同一方向に導光し、該同一方向に重畳して射出することができる。
【００１０】
上記発明において、前記導光部が、周方向に分割された複数の導光部材が連結して構成されていることとしてもよい。
このように導光部を構成することで、導光部に入射した照明光のうち周方向に広がる光についても、各導光部材の内部で反射させて前記同一方向に射出することができる。これにより、導光部から漏れてしまう照明光の光量を抑えることができ、射出する重畳光の光量を向上することができる。
【００１１】
上記発明において、前記導光ユニットの中心軸に交差する方向に光軸を向けて配置された前記光源が、前記導光ユニットの曲面によって変化する配光特性をキャンセルする光学系を備えることとしてもよい。
円環状の導光ユニットの中心軸に交差する方向に光軸を向けて配置された光源からの照明光は、円環状の導光ユニットに入射、反射、および出射する際に、その曲面によって配光特性が変化してしまう。そこで、光源が、この配光特性の変化をキャンセルする光学系を備えることで、配光特性が維持された照明光を重畳して射出することができる。
【発明の効果】
【００１２】
本発明によれば、高輝度の照明光を得るとともに、装置の小型化を図ることができるという効果を奏する。
【図面の簡単な説明】
【００１３】
【図１】本発明の一実施形態に係る照明装置の概略構成図（上視図）である。
【図２】図１の照明装置の縦断面図である。
【図３】図１のプリズム環の斜視図である。
【図４】図１の照明装置の各光源の発光制御を説明する図である（光源１２発光時）。
【図５】図１の照明装置の各光源の発光制御を説明する図である（光源１３発光時）。
【図６】図１の照明装置の各光源の発光制御を説明する図である（光源１１発光時）。
【図７】図１の照明装置の効果を説明する縦断面図である。
【図８】図１の照明装置における照明光の周方向への拡散状態を説明する図である。
【図９】第１の変形例に係る照明装置における照明光の周方向への拡散状態を説明する図である。
【図１０】第２の変形例に係る照明装置の各光源の発光制御を説明する図である（光源１２発光時）。
【図１１】図１０の照明装置の各光源の発光制御を説明する図である（光源１７発光時）。
【図１２】図１０の照明装置の各光源の発光制御を説明する図である（光源１８発光時）。
【図１３】図１０の照明装置の各光源の発光制御を説明する図である（光源１１発光時）。
【図１４】図１０の照明装置の各光源の発光制御を説明する図である（光源１３発光時）。
【図１５】第３の変形例に係る照明装置の各光源の発光制御を説明する図である（光源１２発光時）。
【図１６】図１０の照明装置の各光源の発光制御を説明する図である（光源１３発光時）。
【図１７】比較例として示すミラーディスクを有する照明装置の縦断面図である。
【発明を実施するための形態】
【００１４】
以下に、本発明の一実施形態に係る照明装置について、図面を参照して説明する。
本実施形態に係る照明装置１は、図１および図２に示すように、複数の光源からの照明光を重畳して、矢印Ｌの示す方向に射出する照明装置である。照明装置１は、円環状のプリズム環（導光ユニット）２０と、プリズム環２０の一部を囲うように配置された光源１１，１２，１３と、プリズム環２０を保持する保持部材３１と、プリズム環２０をその中心軸線Ｐ回りに回転させるモータ（回転機構）３０と、これらを制御する制御部（図示略）とを備えている。
【００１５】
光源１１，１２，１３は、図２に示すように、周方向に間隔をあけて円環状に並べられ、円環の半径方向内方に光軸を向けて配置されている。光源１１，１２，１３が形成する円環の中心には、プリズム環２０が配置されている。具体的には、プリズム環２０の半径方向外方には光源１１が配置され、プリズム環２０の半径方向内方には光源１３が配置され、プリズム環２０の中心軸線Ｐに沿う方向上方には光源１２が配置されている。
【００１６】
光源１１，１２，１３は、図２に示すように、例えばＬＥＤ等の発光体１１ａ，１２ａ，１３ａと、発光体１１ａ，１２ａ，１３ａを固定する基板１１ｂ，１２ｂ，１３ｂと、発光体から射出された照明光をプリズム環２０に導光する導光ロッド１１ｃ，１２ｃ，１３ｃとをそれぞれ有している。
【００１７】
光源１１，１２，１３は、図示しない電源から駆動電流が発光体１１ａ，１２ａ，１３ａに供給されることにより、プリズム環２０に向かって照明光をそれぞれ射出するようになっている。
光源１１，１２，１３は、それぞれ異なる波長の光を射出するようになっている。具体的には、例えば、光源１１は赤色の波長域の光、光源１２は緑色の波長域の光、光源１３は青色の波長域の光を射出するようになっている。このようにすることで、後述するように、光源１１，１２，１３からの光を重畳して、白色光を射出することができる。なお、光源１１，１２，１３は、同じ波長の光を射出することとしてもよい。
【００１８】
プリズム環２０は、図３に示すように、円弧状のプリズム（導光部）２１，２２，２３が連結されて形成された円環状のプリズムである。これら円弧状のプリズム２１，２２，２３は、光源１１，１２，１３の光軸の交点を通り、光源１１、１２、１３の光軸を含む面に垂直な線を接線とする円の周方向に連結されている。これら円弧状のプリズム２１，２２，２３は、光源１１，１２，１３から射出された照明光をそれぞれ同一方向に導光するようになっている。
【００１９】
具体的には、プリズム環２０は、図３に示すように、光源１１からの照明光を矢印Ｌに示す方向に反射する円弧状のプリズム（反射部材）２１と、光源１２からの照明光を矢印Ｌに示す方向に透過する円弧状のプリズム（透過部材）２２と、光源１３からの照明光を矢印Ｌに示す方向に反射する円弧状のプリズム（反射部材）２３とを有しており、これら円弧状のプリズム２１，２２，２３が周方向に連結されて構成されている。これらプリズム２１，２２，２３は、円環の周方向に等しい長さを有している。
【００２０】
プリズム２２は、プリズム環２０の中心軸線Ｐを含む平面Ａによる断面において、例えば正方形等の四角形断面を有している。プリズム２２は、中実に形成された例えばガラス等の透明部材である。プリズム２２は、光源１２に対向されて配置された入射面２２ａと、矢印Ｌの示す方向に向けて配置された出射面２２ｂとを有している。これにより、プリズム２２は、光源１２からの照明光を、入射面２２ａに入射させ、出射面２２ｂから矢印Ｌの示す方向に出射するようになっている。また、プリズム２２は、中空の内面側に反射コーティングが施されており、光源１２からの照明光を効率的に導光するようになっているミラーであっても良い。
【００２１】
プリズム２１，２３は、プリズム環２０の中心軸線Ｐを含む平面Ａによる断面において、例えば正三角形等の三角形断面を有している。プリズム２１，２３は、例えばガラス等の透明部材で形成され、照明光を直角に偏向する三角プリズムである。
プリズム２１は、光源１１に対向されて配置された入射面２１ａと、矢印Ｌの示す方向に向けて配置された出射面２１ｂと、入射面２１ａに入射させた照明光を出射面２１ｂに向けて反射する反射面２１ｃとをそれぞれ有している。これにより、プリズム２１は、光源１１からの照明光を、入射面２１ａに入射させ、反射面２１ｃにより反射して、出射面２１ｂから矢印Ｌの示す方向に出射するようになっている。
【００２２】
プリズム２３は、光源１３に対向されて配置された入射面２３ａと、矢印Ｌの示す方向に向けて配置された出射面２３ｂと、入射面２３ａに入射させた照明光を出射面２３ｂに向けて反射する反射面２３ｃとを有している。これにより、プリズム２３は、光源１３からの照明光を、入射面２３ａに入射させ、反射面２３ｃにより反射して、出射面２３ｂから矢印Ｌの示す方向に出射するようになっている。
【００２３】
上記のプリズム２１，２２，２３は、接着剤により連結されている。あるいは、これらプリズム２１，２２，２３を有するプリズム環２０を例えば透明樹脂で一体的に成形することとしてもよい。また、プリズム２１，２２，２３は、それぞれ間隔をあけて外枠等の保持部材（図示略）により連結されることとしてもよい。この場合において、プリズム２２１，２２，２３の間には、反射シートや反射コーティング層等の反射材を設けることとしてもよい。このようにすることで、プリズム２１，２２，２３内に入射した照明光を反射材により全反射させて同一方向に導光することができ、射出される照明光の光量低下を防止することができる。
【００２４】
プリズム環２０は、図２に示すように、例えば透明の円盤形状を有する保持部材３１により保持されている。保持部材３１は、プリズム環２０の中心軸線Ｐに回転軸が配置されたモータ３０に接続されている。
モータ３０は、保持部材３１とプリズム環２０とを一体的に、プリズム環２０の中心軸線Ｐ回りに回転させるようになっている。
【００２５】
このような構成を有することで、プリズム環２０が、その中心軸線Ｐ回りに回転させられることにより、その周方向に連結されたプリズム２１，２２，２３のうち、いずれかが、常に、いずれかの光源の光軸に一致させられる。これにより、プリズム環２０は、光源１１，１２，１３から射出された照明光を、それぞれ同一方向（矢印Ｌの示す方向）に導光するようになっている。
【００２６】
制御部は、モータ３０と同期して光源１１，１２，１３を断続的に順次切り換えて発光させるようになっている。この際の制御部による各光源の発光制御について、図４〜図６を用いて以下に説明する。
図４に示すように、光源１１，１２，１３が配置された平面上にプリズム２２が配置されたタイミングにおいて、制御部は、光源１２を発光させる。これにより、光源１２からの照明光は、プリズム２２を透過して、矢印Ｌの示す方向に射出される。
【００２７】
また、図５に示すように、光源１１，１２，１３が配置された平面上にプリズム２３が配置されたタイミングにおいて、制御部は、光源１３を発光させる。これにより、光源１３からの照明光は、プリズム２３により反射され、矢印Ｌの示す方向に射出される。
また、図６に示すように、光源１１，１２，１３が配置された平面上にプリズム２１が配置されたタイミングにおいて、制御部は、光源１１を発光させる。これにより、光源１１からの照明光は、プリズム２１により反射され、矢印Ｌの示す方向に射出される。
【００２８】
上記構成を有する照明装置１の作用について以下に説明する。
モータ３０を動作させると、プリズム環２０が、その中心軸線Ｐ回りに回線させられる。これにより、プリズム環２０を構成する円弧状のプリズム２１，２２，２３が、光源１１，１２，１３が形成する円環の中心軸を接線とする円の周方向に移動させられる。この場合において、制御部は、モータ３０と同期して光源１１，１２，１３を断続的に順次切り換えて発光させる。
【００２９】
具体的には、図４に示すように、光源１１，１２，１３が配置された平面上にプリズム２２が配置されたタイミングにおいて、光源１２を発光させ、光源１２からの照明光を矢印Ｌの示す方向に射出させる。
そして、図５に示すように、光源１１，１２，１３が配置された平面上にプリズム２３が配置されたタイミングにおいて、光源１３を発光させ、光源１３からの照明光を矢印Ｌの示す方向に射出させる。
【００３０】
そして、図６に示すように、光源１１，１２，１３が配置された平面上にプリズム２１が配置されたタイミングにおいて、光源１１を発光させ、光源１１からの照明光を矢印Ｌの示す方向に射出させる。
これにより、光源１１，１２，１３からの照明光が重畳されて矢印Ｌに示す方向に射出される。
【００３１】
この際、パルス点灯時の各光源の駆動電流Ｃは、各光源の発光時間割合をＡ、定格電流をＢとすると、以下のように決定される。
Ｃ≦Ｂ／Ａ
これにより、定格よりも高出力のパルス光を連続して出射することができ、定格よりも高輝度で照明対象を照明することができる。
【００３２】
以上のように、本実施形態に係る照明装置１によれば、モータ３０によりプリズム環２０がその中心軸線Ｐ回りに回転させられると、複数の円弧状のプリズム２１，２２，２３のうち、いずれかのプリズムが、常に、いずれかの光源の光軸に一致させられる。そして、制御部により、モータ３０と同期してこれら光源が断続的に順次切り換えて発光（パルス発光）させられる。これにより、光源１１，１２，１３から射出された高輝度の照明光を、連続的に矢印Ｌに示す方向に導光し、矢印Ｌに示す方向に重畳して射出することができる。このようにすることで、少ない光源で高輝度の照明光を射出することができ、装置の小型化を図ることができる。
【００３３】
ここで、比較例として、図１７に示すように、照明光を透過させる透過部と照明光を反射する反射部とを有するミラーディスク５１を備える照明装置５０について説明する。
この照明装置５０によれば、図１２に示すように、照明光を射出する光源１２，１３と、ミラーディスク５１からの照明光を導く導光ロッド１５との間にミラーディスク５１が配置されるため、光源１２，１３と導光ロッド１５の入射面１５ａとの距離が離れてしまう。そのため、光源１２，１３から射出された照明光のうち、導光ロッド１５の入射面１５ａに入射しない光が増加してしまい、導光ロッド１５から射出する照明光（重畳光）の光量が低下してしまう。
【００３４】
これに対して、本実施形態に係る照明装置１によれば、図７に示すように、光源１１，１２，１３からの照明光を透過または反射するプリズム環２０の出射面に、導光ロッド１５の入射面１５ａを近接（正対）させることができる。これにより、光源１２，１３から射出された照明光のほとんどを導光ロッド１５の入射面１５ａに入射させることができ、導光ロッド１５から射出する照明光（重畳光）の光量を向上することができる。
【００３５】
なお、本実施形態において、光源１１，１２，１３からなる光源群を、図３における平面Ａ上においてのみ配置したが、複数の光源群をプリズム環２０の周方向に配置することとしてもよい。
また、上記の光源群は、光源１１，１２，１３から構成されることとして説明したが、２つの光源から構成してもよく、４つ以上の光源から構成されることとしてもよい。この場合には、プリズム環２０を構成するプリズムの種類は、１つの光源群を構成する光源の数と同数とすればよい。
【００３６】
[第１の変形例]
本実施形態に係る照明装置１の第１の変形例として、図９に示すように、各プリズムが、周方向に分割された複数の導光部材２５が連結して構成されていることとしてもよい。
このように各プリズムを構成することで、各プリズムに入射した照明光のうち周方向に拡散する光についても、周方向に分割された複数の導光部材２５の内部で反射させて矢印Ｌに示す方向に射出することができる。これにより、図８に示すように各プリズムから漏れてしまう照明光の光量を抑えることができ、射出する重畳光の光量を向上することができる。
【００３７】
[第２の変形例]
本実施形態に係る照明装置１の第２の変形例として、円環状のプリズム環２０の中心軸線Ｐに交差する方向に光軸を向けて配置された光源（本変形例では光源１１，１３，１７，１８）が、円環状のプリズム環２０の曲面によって変化する配光特性をキャンセルする光学系を備えることとしてもよい。
具体的には、本変形例に係る照明装置は、図１０に示すように、プリズム環２０の半径方向外方に配置された光源１１，１７が凸レンズ（光学系）を備えるとともに、プリズム環２０の半径方向内方に配置された光源１３，１８が凹レンズ（光学系）を備えている。
【００３８】
また、本変形例に係る照明装置において、プリズム環２０の一部を囲うように、光源１１，１２，１３，１７，１８が配置されている。
光源１１，１２，１３，１７，１８は、それぞれの光軸が同一平面上に存在し、これら光軸が少なくとも他の一つの光軸と交差するように配置されている。そして、これらの光軸が交差する位置には、プリズム環２０が配置されている。具体的には、プリズム環２０の半径方向外方には光源１１と光源１７が並んで配置され、プリズム環２０の半径方向内方には光源１３と光源１８が並んで配置され、プリズム環２０の中心軸線Ｐに沿う方向上方には光源１２が配置されている。
【００３９】
また、本変形例に係る照明装置において、プリズム環２０は、図３に示すプリズム環が中心軸方向に２段積層されたような構造を有している。
具体的には、プリズム環２０は、図１０から図１４に示すように、円弧状のプリズム（導光部）２１，２２，２３，２４，２５が連結されて形成された円環状のプリズムである。これら円弧状のプリズム２１，２２，２３，２４，２５は、光源１１，１２，１３，１７，１８の光軸の交点を通り、光源１１，１２，１３，１７，１８の光軸を含む面に垂直な線を接線とする円の周方向に連結されている。これら円弧状のプリズム２１，２２，２３，２４，２５は、光源１１，１２，１３，１７，１８から射出された照明光をそれぞれ同一方向に導光するようになっている。
【００４０】
より具体的には、プリズム環２０は、図１３に示すように光源１１からの照明光を矢印Ｌに示す方向に反射する円弧状のプリズム（反射部材）２１と、図１０に示すように光源１２からの照明光を矢印Ｌに示す方向に透過する円弧状のプリズム（透過部材）２２と、図１４に示すように光源１３からの照明光を矢印Ｌに示す方向に反射する円弧状のプリズム（反射部材）２３と、図１１に示すように光源１７からの照明光を矢印Ｌに示す方向に反射する円弧状のプリズム（反射部材）２４と、図１２に示すように光源１８からの照明光を矢印Ｌに示す方向に反射する円弧状のプリズム（反射部材）２５とを有している。プリズム環２０は、これら円弧状のプリズム２１，２２，２３，２４，２５が周方向に連結されて構成されている。これらプリズム２１，２２，２３，２４，２５は、円環の周方向に等しい長さを有している。
【００４１】
このような構成を有することで、プリズム環２０が、その中心軸線Ｐ回りに回転させられることにより、その周方向に連結されたプリズム２１，２２，２３，２４，２５のうち、いずれかが、常に、いずれかの光源の光軸に一致させられる。これにより、プリズム環２０は、光源１１，１２，１３，１７，１８から射出された照明光を、それぞれ同一方向（矢印Ｌの示す方向）に導光するようになっている。
【００４２】
ここで、円環状のプリズム環２０の中心軸線Ｐに交差する方向に光軸を向けて配置された光源（本変形例では光源１１，１３，１７，１８）からの照明光は、円環状のプリズム環２０に入射、反射、および出射する際に、その曲面によって配光特性が変化してしまう。
そこで、円環状のプリズム環２０の曲面によって変化する配光特性をキャンセルする光学系を備えることで、配光特性が維持された照明光を重畳して射出することができる。
【００４３】
すなわち、本実施形態に係る照明装置１において、円環状のプリズム環２０の曲面によって変化する配光特性をキャンセルする光学系として、プリズム環２０の半径方向外方に配置された光源１１，１７がそれぞれ凸レンズを備えるとともに、プリズム環２０の半径方向内方に配置された光源１３，１８がそれぞれ凹レンズを備えることで、配光特性が維持された照明光を矢印Ｌに示す方向に重畳して射出することができる。また、配光特性をキャンセルする光学系として、円筒レンズのような異方性のある光学系であっても良い。
【００４４】
[第３の変形例]
本実施形態に係る照明装置１の第３の変形例として、図１５および図１６に示すように、光源１２，１３の両方をプリズム環２０の半径方向内方に配置し、光源１２，１３からの照明光をプリズム環２０の中心軸線Ｐに対して斜めの方向から入射させることとしてもよい。
本変形例において、プリズム環２０は、光源１２からの照明光を矢印Ｌに示す方向に透過させるプリズム２２と、光源１３からの照明光を矢印Ｌに示す方向に反射するプリズム２３とが連結されて構成されている。
【００４５】
この場合には、図１５に示すように、光源１２，１３が配置された平面上にプリズム２２が配置されたタイミングにおいて、制御部は、光源１２を発光させる。これにより、光源１２からの照明光は、プリズム２２を透過して、矢印Ｌの示す方向に射出される。
また、図１６に示すように、光源１２，１３が配置された平面上にプリズム２３が配置されたタイミングにおいて、制御部は、光源１３を発光させる。これにより、光源１３からの照明光は、プリズム２３により反射され、矢印Ｌの示す方向に射出される。
【００４６】
これにより、光源１２，１３からの照明光が重畳されて矢印Ｌに示す方向に射出される。また、本変形例に係る照明装置によれば、光源１２，１３に対するプリズム環２０の曲面の曲率を小さくすることができ、曲面への入射時における照明光の配光特性の変化を抑えることができる。
【００４７】
以上、本発明の実施形態について図面を参照して詳述してきたが、具体的な構成はこの実施形態に限られるものではなく、本発明の要旨を逸脱しない範囲の設計変更等も含まれる。例えば、本発明を上記の実施形態および各変形例を適宜組み合わせた実施形態に適用してもよい。
【符号の説明】
【００４８】
１  照明装置
１１，１２，１３，１７，１８  光源
２０  プリズム環（導光ユニット）
２１，２３，２４，２５  プリズム（反射部材）
２２  プリズム（透過部材）
３０  モータ（回転機構）
【図１】
2012190653.tif 000003
【図２】
2012190653.tif 000004
【図３】
2012190653.tif 000005
【図４】
2012190653.tif 000006
【図５】
2012190653.tif 000007
【図６】
2012190653.tif 000008
【図７】
2012190653.tif 000009
【図８】
2012190653.tif 000010
【図９】
2012190653.tif 000011
【図１０】
2012190653.tif 000012
【図１１】
2012190653.tif 000013
【図１２】
2012190653.tif 000014
【図１３】
2012190653.tif 000015
【図１４】
2012190653.tif 000016
【図１５】
2012190653.tif 000017
【図１６】
2012190653.tif 000018
【図１７】
2012190653.tif 000019